(57)【要約】【課題】時刻の変化に伴う発電効率の変化を抑制し得るように、光電変換素子を配置した収納容器を提供する。【解決手段】ゴミ箱（収納容器）は、ゴミ（物品）を収納可能であり、頂面３１が凸曲面を構成するする筐体１と、筐体１に設けられた電子部品５と、発生した電力を電子部品５に供給可能であり、頂面（凸曲面）３１に沿って筐体１に設けられた光電変換素子１００とを有する。頂面３１１は、一方向に沿って湾曲していることが好ましく、中央部における曲率半径が両端部における曲率半径より小さいことも好ましい。【選択図】図１
2019189362.tif 000002
【特許請求の範囲】
【請求項１】
物品を収納可能であり、頂面が凸曲面を構成する筐体と、
該筐体に設けられた電子部品と、
発生した電力を前記電子部品に供給可能であり、前記凸曲面に沿って前記筐体に設けられた光電変換素子とを有することを特徴とする収納容器。
【請求項２】
前記凸曲面は、一方向に沿って湾曲している請求項１に記載の収納容器。
【請求項３】
前記凸曲面は、中央部における曲率半径が両端部における曲率半径より小さい請求項２に記載の収納容器。
【請求項４】
前記凸曲面の中央部における曲率半径は、３０〜５００ｍｍである請求項３に記載の収納容器。
【請求項５】
前記凸曲面の両端部における曲率半径は、１００〜１０００ｍｍである請求項３または４に記載の収納容器。
【請求項６】
前記光電変換素子は、前記筐体と反対側の面に、前記凸曲面の湾曲方向に沿って形成された複数の溝を備える請求項１ないし５のいずれかに記載の収納容器。
【請求項７】
前記光電変換素子の平面視において、前記複数の溝が占有する割合は、０．０１〜３０％である請求項６に記載の収納容器。
【請求項８】
前記光電変換素子は、互い直列に接続された複数の単位素子を含む第１の単位素子群と、該第１の単位素子群に対して並列に接続され、互い直列に接続された複数の単位素子を含む第２の単位素子群とを備え、
前記第１の単位素子群と前記第２の単位素子群とは、前記凸曲面の頂部を介して互いに反対側に位置している請求項１ないし７のいずれかに記載の収納容器。
【請求項９】
前記筐体は、前記物品を投入可能な開口部を備える本体と、前記開口部を開閉可能に前記本体に取り付けられ、前記凸曲面で構成された前記頂面を有する蓋とを備える請求項１ないし８のいずれかに記載の収納容器。
【請求項１０】
前記光電変換素子は、少なくとも一部に有機材料を用いた光電変換部を備える有機系の光電変換素子である請求項１ないし９のいずれかに記載の収納容器。
【請求項１１】
前記電子部品は、検出器、発信器、発光素子および表示素子のうちの少なくとも１つを含む請求項１ないし１０のいずれかに記載の収納容器。
【請求項１２】
当該収納容器は、ゴミ箱である請求項１ないし１１のいずれかに記載の収納容器。
【発明の詳細な説明】
【技術分野】
【０００１】
本発明は、収納容器に関する。
【背景技術】
【０００２】
例えばゴミ箱のような収納容器にセンサ（検出器）を取り付けることにより、その本来の機能以外に付加的な機能を追加することが検討されている。また、センサが独立して作動し得るように、センサに電力を供給する太陽電池（光電変換素子）をゴミ箱に搭載することも行われている（例えば、特許文献１参照）。
また、屋外に設置するタイプのゴミ箱では、太陽電池を取り付ける位置によっては、日中であっても太陽からの光を太陽電池が効率よく受け取ることができず、発電効率が顕著に低下するという問題がある。
【先行技術文献】
【特許文献】
【０００３】
【特許文献１】特許第５９８８９２３号
【発明の概要】
【発明が解決しようとする課題】
【０００４】
本発明の目的は、時刻の変化に伴う発電効率の変化を抑制し得るように、光電変換素子を配置した収納容器を提供することにある。
【課題を解決するための手段】
【０００５】
このような目的は、下記の（１）〜（１２）の本発明により達成される。
【０００６】
（１）  物品を収納可能であり、頂面が凸曲面を構成する筐体と、
該筐体に設けられた電子部品と、
発生した電力を前記電子部品に供給可能であり、前記凸曲面に沿って前記筐体に設けられた光電変換素子とを有することを特徴とする収納容器。
【０００７】
（２）  前記凸曲面は、一方向に沿って湾曲している上記（１）に記載の収納容器。
【０００８】
（３）  前記凸曲面は、中央部における曲率半径が両端部における曲率半径より小さい上記（２）に記載の収納容器。
【０００９】
（４）  前記凸曲面の中央部における曲率半径は、３０〜５００ｍｍである上記（３）に記載の収納容器。
【００１０】
（５）  前記凸曲面の両端部における曲率半径は、１００〜１０００ｍｍである上記（３）または（４）に記載の収納容器。
【００１１】
（６）  前記光電変換素子は、前記筐体と反対側の面に、前記凸曲面の湾曲方向に沿って形成された複数の溝を備える上記（１）ないし（５）のいずれかに記載の収納容器。
【００１２】
（７）  前記光電変換素子の平面視において、前記複数の溝が占有する割合は、０．０１〜３０％である上記（６）に記載の収納容器。
【００１３】
（８）  前記光電変換素子は、互い直列に接続された複数の単位素子を含む第１の単位素子群と、該第１の単位素子群に対して並列に接続され、互い直列に接続された複数の単位素子を含む第２の単位素子群とを備え、
前記第１の単位素子群と前記第２の単位素子群とは、前記凸曲面の頂部を介して互いに反対側に位置している上記（１）ないし（７）のいずれかに記載の収納容器。
【００１４】
（９）  前記筐体は、前記物品を投入可能な開口部を備える本体と、前記開口部を開閉可能に前記本体に取り付けられ、前記凸曲面で構成された前記頂面を有する蓋とを備える上記（１）ないし（８）のいずれかに記載の収納容器。
【００１５】
（１０）  前記光電変換素子は、少なくとも一部に有機材料を用いた光電変換部を備える有機系の光電変換素子である上記（１）ないし（９）のいずれかに記載の収納容器。
【００１６】
（１１）  前記電子部品は、検出器、発信器、発光素子および表示素子のうちの少なくとも１つを含む上記（１）ないし（１０）のいずれかに記載の収納容器。
【００１７】
（１２）  当該収納容器は、ゴミ箱である上記（１）ないし（１１）のいずれかに記載の収納容器。
【発明の効果】
【００１８】
本発明によれば、凸曲面で構成された頂面に沿って光電変換素子を配置したことにより、時刻の変化に伴う発電効率の変化を抑制することができる。
【図面の簡単な説明】
【００１９】
【図１】第１実施形態に係るゴミ箱を背面側から見た斜視図である。
【図２】図１に示す光電変換素子の構成を示す斜視図（蓋に取り付ける前の状態を示す。）である。
【図３】図２中のＸ−Ｘ線断面図である。
【図４】第２実施形態に係るゴミ箱が備える蓋の構成を示す側面図である。
【図５】第３実施形態に係る光電変換素子の構成を示す斜視図（蓋に取り付ける前の状態を示す。）である。
【図６】第４実施形態に係る光電変換素子の構成を示す斜視図（蓋に取り付ける前の状態を示す。）である。
【図７】第５実施形態に係る光電変換素子の構成を示す斜視図（蓋に取り付ける前の状態を示す。）である。
【発明を実施するための形態】
【００２０】
以下、本発明の収納容器について、添付図面に示す好適実施形態に基づいて詳細に説明する。
なお、各図では、その特徴を判り易くするために、便宜上、特徴となる部分を拡大して示している場合があり、各構成要素の寸法比率等は、実際とは異なる場合がある。また、以下に例示される材料、寸法等は一例であって、本発明は、それらに限定されるものではなく、その要旨を変更しない範囲で適宜変更して実施することが可能である。
【００２１】
＜第１実施形態＞
まず、本発明の収納容器を用いたゴミ箱の第１実施形態について説明する。
図１は、第１実施形態に係るゴミ箱を背面側から見た斜視図、図２は、図１に示す光電変換素子の構成を示す斜視図（蓋に取り付ける前の状態を示す。）、図３は、図２中のＸ−Ｘ線断面図である。
以下では、説明の都合上、図１〜図３中の上側を「上側」または「上方」と、下側を「下側」または「下方」と言う。
【００２２】
図１に示すゴミ箱は、ゴミ（物品）を収納する筐体１を有している。この筐体１は、上方にゴミを投入可能な開口部を備える本体２と、上方の開口部を開閉可能に本体２に、２つのヒンジ４を介して取り付けられた蓋３とを備えている。
本体２は、四角形の筒状をなす胴部と、胴部の下端開口を塞ぐ底部とを備える有底筒状の箱体で構成されている。
蓋３は、頂面３１と、２つの側面３２とを備えている。頂面３１は、一方向（長手方向）に沿って湾曲する円弧状の凸曲面で構成されている。
【００２３】
筐体１（本体２および蓋３）の構成材料としては、例えば、金属材料、樹脂材料、木材等、またはこれらの組み合わせが挙げられる。
筐体１を樹脂材料で構成する場合、筐体１全体を透明（無色透明、着色透明、半透明）とすることができる。
本実施形態では、蓋３の頂面３１に沿って光電変換素子１００が設けられている。
この光電変換素子１００について、図２および図３に基づいて説明する。
【００２４】
光電変換素子１００は、図３に示すように、第１の基板１０１と、第２の基板１０２と、第１の基板１０１と第２の基板１０２との間を封止する封止部１０８とを有している。
第１の基板１０１の下面には、複数の透明電極層１０３が設けられている。一方、第２の基板１０２の上面には、複数の対向電極層１０４および触媒層１０６とを備えている。
封止部１０８は枠状をなし、第１の基板１０１および第２の基板１０２との間に４つの空間（セル空間）Ｃを画成している。
【００２５】
各空間Ｃには、触媒層１０６とともに、色素（増感色素）を担持した半導体層１０５と、電解液１０７とが収納されている。色素を担持した半導体層１０５と、電解液１０７とにより、光電変換部が構成される。
また、中央部に位置する封止部１０８には、隣接する空間Ｃに位置する透明電極層１０３と対向電極層１０４とを接続するＺ配線１０９が埋設されている。
図３に示すように、光電変換素子１００の４つの空間Ｃに対応する部分がそれぞれ単位素子を構成し、単位素子同士は、互いに直列に接続されている。なお、単位素子同士は、互いに並列に接続されていてもよく、直列と並列との組み合わせであってもよい。
【００２６】
第１の基板１０１および第２の基板１０２は、それぞれ透明導電層１０３および対向導電層１０４を支持する基材であり、樹脂材料で構成されている。樹脂材料としては、例えば、ポリエチレンナフタレート（ＰＥＮ）、ポリエチレンテレフタレート（ＰＥＴ）等の熱可塑性樹脂が挙げられる。
第１の基板１０１および第２の基板１０２は、それぞれ樹脂材料で構成される平板材やシート材を所定の形状（本実施形態では、平面視において長方形状）に切断して用いることができる。
【００２７】
第１の基板１０１の下面には、複数の透明電極層１０３が設けられている。透明電極層１０３は、透明導電性金属酸化物で構成することができる。透明導電性金属酸化物としては、例えば、酸化インジウムスズ（ＩＴＯ）、フッ素含有酸化インジウムスズ（ＦＴＯ）等が挙げられる。
このような透明電極層１０３は、第１の基板１０１上に、透明導電性金属酸化物を各種気相成膜法により、所定のパターンで供給することで形成することができる。気相成膜法としては、例えば、スパッタリング法、蒸着法、溶射法等が挙げられる。
【００２８】
各透明導電層１０３の下面には、半導体層１０５が設けられている。半導体層１０５は、これが担持する色素で生じた電子を受け取り輸送する機能を有する。半導体層１０５の構成材料（半導体材料）としては、例えば、酸化チタン（ＴｉＯ２）、酸化亜鉛（ＺｎＯ）、酸化スズ（ＳｎＯ２）等が挙げられる。
このような半導体層１０５は、透明導電層１０３上に、焼成を要しない低温成膜法により多孔質となるように所定のパターンで形成することが好ましい。低温成膜法としては、例えば、エアロゾルデポジション法、コールドスプレー法、スクリーン印刷法等が挙げられる。
【００２９】
半導体層１０５には、色素が担持されている。この色素には、有機色素または金属錯体色素を用いることができる。有機色素としては、例えば、クマリン系色素、ポリエン系色素、シアニン系色素、ヘミシアニン系色素、チオフェン系色素等が挙げられる。一方、金属錯体色素としては、例えば、ルテニウム錯体等が挙げられる。
色素を半導体層１０５に担持させる方法としては、例えば、色素を含む液体に半導体層１０５を浸漬させる浸漬法、色素を含む液体を半導体層１０５にスプレーや印刷する塗布法等が挙げられる。
【００３０】
第２の基板１０２の上面には、複数の対向電極層１０４が設けられている。対向電極層１０４は、導電性材料で構成することができる。導電性材料としては、例えば、酸化インジウムスズ（ＩＴＯ）、フッ素含有酸化インジウムスズ（ＦＴＯ）、酸化亜鉛、プラチナ等が挙げられる。
このような対向電極層１０４は、透明電極層１０３と同様にして形成することができる他、例えば、浸漬法、塗布法等により形成することもできる。
【００３１】
各対向電極層１０４の上面には、触媒層１０６が設けられている。触媒層１０６の構成材料（触媒材料）としては、例えば、カーボンのような炭素材料、プラチナのような貴金属材料、チオフェン系導電性ポリマー（ＰＥＤＯＴ／ＰＳＳ）のような導電性有機材料等が挙げられる。
このような触媒層１０６は、対向電極層１０４上に、例えば、触媒材料で構成される粒子（触媒粒子）を含むペーストを塗布することにより所定のパターンで形成することができる。また、触媒層１０６は、対向電極層１０４をマスクした状態で、触媒材料をスパッタまたは蒸着することで所定のパターンで形成することもできる。
【００３２】
第１の基板１０１と第２の基板１０３との間には、枠状の封止部１０８が設けられ、第１の基板１０１および第２の基板１０３との間に４つの空間Ｃを画成している。封止部１０８の構成材料（樹脂材料）としては、例えば、硬化性樹脂、ホットメルト樹脂等が挙げられる。なお、空間Ｃの数は、４つに限定されず、１〜３つであってもよく、５つ以上であってもよい。
半導体層１０５と触媒層１０６とが対向するように、封止部１０８の構成材料を介して第１の基板１０１と第２の基板１０２とを配置し、加圧しつつ硬化または接着する。これにより、第１の基板１０１と第２の基板１０２とが封止部１０８を介して接合されるとともに、４つの空間Ｃが形成される。このとき、隣接する透明電極層１０３と対向電極層１０４とが、所定の位置においてＺ配線１０９により接続される。
【００３３】
第１の基板１０１と第２の基板１０２とを封止部１０８を介して接合する際には、封止部１０８の一部に各空間Ｃに連通する注入孔を形成しておく。注入孔を形成するには、封止部１０８の構成材料を貫通するように、注入孔形成用部材を配置しておけばよい。
注入孔形成用部材には、短冊状の離型性樹脂シートを用いることができる。離型性樹脂シートの構成材料としては、耐熱温度が封止部１０８の溶融硬化温度よりも高く、かつ、非接着性に優れている樹脂材料が好適に用いられる。かかる樹脂材料としては、例えば、ポリエステル、ポリエチレンテレフタレート、ポリブチレンテレフタレート等が挙げられる。
【００３４】
注入孔形成用部材を除去することにより、封止部１０８の所定の箇所に注入孔が形成される。各注入孔を介して、電解液１０７を各空間Ｃに注入する。なお、各空間Ｃに電解液１０７を注入した後、各注入口は、例えば、接着剤等により閉塞される。
電解液１０７には、ヨウ化リチウムおよびヨウ素を溶剤に溶解した溶液が好適に用いられる。なお、溶剤としては、例えば、アセトニトリル、プロピオニトリルのような非水系溶剤、ヨウ化ジメチルプロピルイミダゾリウムまたはヨウ化ブチルメチルイミダゾリウムのようなイオン性液体等が挙げられる。また、電解液１０７には、逆電子移動反応を防止するため、ｔ−ブチルピリジンを混合してもよい。
【００３５】
以上のようして、第１の基板１０１と第２の基板１０２とが封止部１０８を介して接合され、各空間Ｃに電解液１０７が充填される。
なお、電解液１０７を前もって半導体層１０５に付与し、その後、第１の基板１０１と第２の基板１０２とが封止部１０８を介して接合されるように、プレス張り合わせや真空張り合わせを行うようにしてもよい。
また、半導体層１０５と触媒層１０６との間には、セパレータを設けるようにしてもよい。かかるセパレータは、例えば、電解液１０７が通過可能な不織布等のシート材で構成することができる。
【００３６】
光電変換素子１００の厚さは、特に限定されないが、０．２〜１０ｍｍ程度であることが好ましく、０．３〜５ｍｍ程度であることがより好ましい。
また、光電変換素子１００の所定の箇所には、透明電極層１０３および対向電極層１０４にそれぞれ電気的に接続された一対の素子側端子部８１、８２が設けられている。本実施形態では、素子側端子部８１は、電気接続部（最も右側の対向電極層１０４を延長した部分）を介して対向電極層１０４に接続され、素子側端子部８２は、最も左側において、電気接続部を介して透明電極層１０３に接続されている。
このような光電変換素子１００が配置される筐体１には、電子部品５が設けられている。本実施形態では、図１に示すように、電子部品５は、蓋３に設けられている。
電子部品５は、如何なる機能を有する部品であってもよいが、検出器、発信器、発光素子および表示素子のうちの少なくとも１つを含む部品であることが好ましい。
【００３７】
例えば、ゴミの量（充填量）を検出する検出器（センサ）と、その情報を発信する発信器とを含む電子部品５を用いれば、ゴミを回収すべき適正なタイミングを正確に知ることができるため、ゴミの回収コストの削減を図ることができる。
蓋３の所定の箇所には、電子部品５に電気的に接続された一対の部品側端子部（図示せず）が設けられている。
そして、光電変換素子１００を蓋３に取り付けた状態で、対応する部品側端子部と素子側端子部８１、８２とが接触することにより、光電変換素子１００が発生する電力を電子部品５に供給することができる。
【００３８】
部品側端子部および素子側端子部８１、８２の構成材料としては、それぞれ、例えば、金、銀、銅、白金、アルミニウム、タンタル、モリブデン、クロムまたはこれらを含む合金のような金属材料、前述したような導電性酸化物材料、カーボンブラック、カーボンナノチューブ、フラーレンのような炭素材料、ポリアセチレン、ポリピロール、ＰＥＤＯＴ／ＰＳＳのような導電性有機材料等が挙げられる。これらの材料は、１種を単独で、または２種以上を組み合わせて用いることができる。
部品側端子部および素子側端子部８１、８２の厚さは、それぞれ特に限定されないが、０．０５〜１２ｍｍ程度であるのが好ましく、０．１〜７ｍｍ程度であるのがより好ましい。
【００３９】
本実施形態では、光電変換素子１００を蓋３の頂面（凸曲面）３１に配置するため、図１に示すように、ゴミ箱に対する太陽の位置が変化しても、光の入射方向を光電変換素子１００の上面（表面）に対してほぼ垂直にすることができる。このため、時刻が変化しても、光電変換素子１００の発電効率が変化することを抑制することができる。
特に、前述したような光電変換素子１００、すなわち光電変換部の少なくとも一部に有機材料を用いた有機系の光電変換素子（例えば、有機薄膜太陽電池、ペロブスカイト型太陽電池、色素増感太陽電池等）は、可撓性を備えるので容易に変形させ得る。このため、有機系の光電変換素子であれば、凸曲面であっても容易に追従変形させて取り付けることができ、また変形させても破損し難い。
【００４０】
さらに、有機系の光電変換素子は、故障したり、寿命を迎えた場合でも、交換し易いというメリットもある。したがって、筐体１を長期にわたって使用することができる。
また、雨水が光電変換素子１００の上面から流れ落ち易くなるため、ゴミ箱を屋外で長期間使用しても、光電変換素子１００の上面に汚れが付着し難い。
汚れの付着をさらに防止する観点からは、光電変換素子１００の上面（筐体１と反対側の面）に、酸化チタンのような光触媒を含む被覆層を形成するようにしてもよい。
【００４１】
光電変換素子１００を頂面３１に固定する方法としては、例えば、接着剤による固定、接着テープまたは粘着テープによる固定、カシメ、ネジ止め等が挙げられる。
光電変換素子１００は、頂面３１に対して着脱自在に構成されていてもよい。かかる構成としては、例えば、頂面３１の両端部に一対のガイドレールを設け、このガイドレールに光電変換素子１００の対向する縁部を挿入する構成等を採用することができる。
なお、ヒンジ４において蓋３を本体２から取り外すことにより、光電変換素子１００を、電子部品５とともに蓋３ごと交換することもできる。
【００４２】
＜第２実施形態＞
次に、本発明の収納容器を用いたゴミ箱の第２実施形態について説明する。
以下、第２実施形態について、前記第１実施形態との相違点を中心に説明し、同様の事項については、その説明を省略する。
第２実施形態では、筐体の蓋の構成（形状）が異なる以外は、前記第１実施形態と同様である。
【００４３】
図４は、第２実施形態に係るゴミ箱が備える蓋の構成を示す側面図である。
以下では、説明の都合上、図４中の上側を「上側」または「上方」と、下側を「下側」または「下方」と言う。
図４に示す蓋３は、頂面３１の曲率が一定ではなく、中央部（頂部およびその近傍）３１ａにおける曲率半径Ｒ１が両端部３１ｂにおける曲率半径Ｒ２より小さくなっている。すなわち、第２実施形態において、頂面３１は、楕円弧状の凸曲面で構成されている。
かかる構成によれば、比較的光量が少ない朝および夕方に、光電変換素子１００の広い面積で太陽からの光を受け取ることができるようになる。このため、特に朝および夕方における光電変換素子１００の発電効率を高めることができる。
【００４４】
また、頂面３１の両端部３１ａにおける傾斜角度が大きくなるため、雨水を光電変換素子１００の上面からより迅速に流れ落ち易くすることができる。
中央部３１ａの曲率半径Ｒ１は、特に限定されないが、３０〜５００ｍｍ程度であることが好ましく、５０〜１００ｍｍ程度であることがより好ましい。両端部３１ｂの曲率半径Ｒ２も、特に限定されないが、１００〜１０００ｍｍ程度であることが好ましく、５００〜１０００ｍｍ程度であることがより好ましい。曲率半径Ｒ１、Ｒ２を前記範囲に設定することにより、前記効果をより向上させることができる。
なお、曲率半径Ｒ２を極めて大きく（すなわち、実質的に無限大に）することにより、両端部３１ｂを平坦状（側面視で直線状）としてもよい。
以上のような第２実施形態においても、前記第１実施形態と同様の作用・効果が得られる。
【００４５】
＜第３実施形態＞
次に、本発明の収納容器を用いたゴミ箱の第３実施形態について説明する。
以下、第３実施形態について、前記第１実施形態との相違点を中心に説明し、同様の事項については、その説明を省略する。
第３実施形態では、光電変換素子の構成が異なる以外は、前記第１実施形態と同様である。
【００４６】
図５は、第３実施形態に係る光電変換素子の構成を示す斜視図（蓋に取り付ける前の状態を示す。）である。
以下では、説明の都合上、図５中の上側を「上側」または「上方」と、下側を「下側」または「下方」と言う。
図５に示す光電変換素子１００は、紙面手前側に位置する第１の単位素子群１００ａと、紙面奥側に位置し、第１の単位素子群１００ａに対して並列に接続された第２の単位素子群１００ｂとを備えている。各単位素子群１００ａ、１００ｂは、図５中左右方向に並んで、互い直列に接続された複数の単位素子を含んでいる。
【００４７】
このような光電変換素子１００は、図１に示す蓋３の頂面（凸曲面）３１に対して、第１の単位素子群１００ａが紙面手前側に、第２の単位素子群１００ｂが紙面奥側に位置するように配置される。すなわち、第１の単位素子群１００ａと第２の単位素子群１００ｂとは、頂面３１の頂部を介して互いに反対側に位置する。
かかる構成によれば、ゴミ箱に対する太陽の位置が変化した場合に、例えば、朝方は第１の単位素子群１００ａが発電し、夕方は第２の単位素子群１００ｂが発電することにより、トータルで１つの単位素子群１００ａ、１００ｂが発電する以上の発電量を担保する
ことができる。
以上のような第３実施形態においても、前記第１実施形態と同様の作用・効果が得られる。
【００４８】
＜第４実施形態＞
次に、本発明の収納容器を用いたゴミ箱の第４実施形態について説明する。
以下、第４実施形態について、前記第１実施形態との相違点を中心に説明し、同様の事項については、その説明を省略する。
第４実施形態では、光電変換素子の構成が異なる以外は、前記第１実施形態と同様である。
【００４９】
図６は、第４実施形態に係る光電変換素子の構成を示す斜視図（蓋に取り付ける前の状態を示す。）である。
以下では、説明の都合上、図６中の上側を「上側」または「上方」と、下側を「下側」または「下方」と言う。
図６に示す光電変換素子１００は、上面（筐体１と反対側の面）に、頂面３１の湾曲方向（光電変換素子１００の長手方向）に沿って形成された複数の溝２００を備えている。かかる構成によれば、溝２００が雨水を受け入れることができる。このため、雨水が光電変換素子１００の上面からより迅速に流れ落ち、光電変換素子１００の上面に汚れがより付着し難くなる。
【００５０】
光電変換素子１００の平面視において、複数の溝２００が占有する割合は、０．０１〜３０％程度であることが好ましく、０．１〜１０％程度であることがより好ましい。このような占有割合で、溝２００を設けることにより、雨水の除去効率および光電変換素子１００の可撓性をより高めることができる。
【００５１】
溝２００の幅および深さの具体的な値は、それぞれ光電変換素子１００のサイズに応じて適宜設定されるため、特に限定されないが、本実施形態の場合、次のような範囲であることが好ましい。
溝２００の幅は、０．１〜１０ｍｍ程度であることが好ましく、１〜５ｍｍ程度であることがより好ましい。溝２００の深さは、０．１〜５μｍ程度であることが好ましく、１〜３μｍ程度であることがより好ましい。
以上のような第４実施形態においても、前記第１実施形態と同様の作用・効果が得られる。
【００５２】
＜第５実施形態＞
次に、本発明の収納容器を用いたゴミ箱の第５実施形態について説明する。
以下、第５実施形態について、前記第４実施形態との相違点を中心に説明し、同様の事項については、その説明を省略する。
第５実施形態では、溝２００の延設方向が異なる以外は、前記第４実施形態と同様である。
【００５３】
図７は、第５実施形態に係る光電変換素子の構成を示す斜視図（蓋に取り付ける前の状態を示す。）である。
以下では、説明の都合上、図７中の上側を「上側」または「上方」と、下側を「下側」または「下方」と言う。
図７に示す光電変換素子１００は、上面（筐体１と反対側の面）に、頂面３１の湾曲方向と直交する方向（光電変換素子１００の短手方向）に沿って形成された複数の溝２００を備えている。かかる構成によれば、光電変換素子１００の可撓性が向上するため、頂面３１の湾曲形状に追従変形させ易くなる。
【００５４】
以上のような第５実施形態においても、前記第１および第４実施形態と同様の作用・効果が得られる。
なお、溝２００は、頂面３１の湾曲方向（光電変換素子１００の長手方向）に対して、所定の角度で傾斜するように形成するようにしてもよい。
【００５５】
以上、本発明の収納容器について説明したが、本発明は、これらに限定されるものではない。本発明の収納容器は、他の任意の構成を有していてもよいし、同様の機能を発揮する任意の構成と置換されてもよい。例えば、本発明では、前記第１〜第５実施形態のうちの任意の構成を組み合わせることができる。
筐体１は、凸曲面で構成される頂面と、側方に開口する開口部とを備える本体と、側方の開口部を開閉自在に本体に取り付けられた蓋とで構成してもよい。この場合、光電変換素子は、本体の頂面に取り付けられる。
【００５６】
また、頂面は、お椀状（砲弾状）をなす凸曲面で構成されてもよい。この場合、頂面上に、直接、光電変換素子を構成する各部を形成して、頂面に沿って光電変換素子を配置してもよい。
光電変換素子１００の平面視形状も、四角形状に限定されず、例えば、三角形状、六角形状のような四角形状以外の多角形状、円形状、楕円形状等であってもよい。
収納容器は、ゴミ箱の他、郵便ポスト、宅配ポスト、防犯センサ、書類ボックス、水槽等に用いることができる。
【符号の説明】
【００５７】
１          筐体
２          本体
３          蓋
３１        頂面
３２        側面
４          ヒンジ
５          電子部品
８１、８２  素子側端子部
１００      光電変換素子
１００ａ    第１の単位素子群
１００ｂ    第２の単位素子群
１０１      第１の基板
１０２      第２の基板
１０３      透明電極層
１０４      対向電極層
１０５      半導体層
１０６      触媒層
１０７      電解液
１０８      封止部
１０９      Ｚ配線
Ｃ          空間
２００      溝
Ｒ１．Ｒ２  曲率半径
【図１】
2019189362.tif 000003
【図２】
2019189362.tif 000004
【図３】
2019189362.tif 000005
【図４】
2019189362.tif 000006
【図５】
2019189362.tif 000007
【図６】
2019189362.tif 000008
【図７】
2019189362.tif 000009